(57)【要約】【課題】連続して放映されるマルチメディアデータをユーザの使用履歴情報を利用して効果的に管理することで、制限的なメモリ装置を効率的に利用して、ユーザ嗜好度の反映を向上させたマルチメディアサービスを提供しようとする。【解決手段】連続物の特性を有するマルチメディアデータの描写情報を処理するにあたって、１つの連続物全体に共通的に適用される共通特徴情報と各一篇のデータごとに固有に適用される固有特徴情報とを含み、同じ共通特徴情報を有する同じ連続物であることを識別するための第１識別情報と各篇ごとにデータを固有に識別するための第２識別情報とを含む連続物描写情報を生成することを特徴とする方法【選択図】図１
2006187012.tif 000002
【特許請求の範囲】
【請求項１】
マルチメディアコンテンツの描写を処理する方法において、
第１マルチメディアオブジェクト内のコンテンツを描写している第１描写であって、その第１描写は第１識別情報とマルチメディアオブジェクトのグループへの参照とを含み、前記第１識別情報が前記第１マルチメディアオブジェクトを識別し、前記グループへの参照が前記第１マルチメディアオブジェクトがマルチメディアオブジェクトのグループに属することを示している第１描写を受け取るステップと、
前記グループを識別するグループ識別情報を含む前記マルチメディアオブジェクトのグループに関する描写を受け取るステップと
を有することを特徴とする方法。
【請求項２】
前記グループへの参照がグループ識別情報を決定する情報を含む請求項１記載の方法。
【請求項３】
さらに、前記第１マルチメディアオブジェクトを前記グループに関する描写に関連付けるグループ識別情報を用いるステップを有する請求項２に記載の方法。
【請求項４】
さらに、ユーザの動作をリストにまとめ、前記第１マルチメディアオブジェクトに関する各ユーザの動作を前記第１識別情報に関連付ける使用履歴を提供するステップを含む請求項１記載の方法。
【請求項５】
前記使用履歴における第１識別情報に関連付けられたユーザの動作と前記グループに関する描写との間の参照を提供するステップをさらに含む請求項４記載の方法。
【請求項６】
さらに、ユーザの嗜好を描写するために前記第１描写と前記前記グループに関する描写とを用いるステップを有する請求項１に記載の方法。
【請求項７】
前記マルチメディアオブジェクトのグループがドラマのシリーズを表示し、前記グループへの参照が前記第１マルチメディアオブジェクトが前記ドラマのシリーズを表す請求項１記載の方法。
【請求項８】
前記グループへの参照が前記第１マルチメディアオブジェクトの放送回数を指定している請求項７記載の方法。
【請求項９】
前記グループに関する描写が前記マルチメディアオブジェクトのタイトルを含む請求項１記載の方法。
【請求項１０】
前記グループに関する描写が前記マルチメディアオブジェクトのグループ内のコンテンツのジャンルを指定する請求項１記載の方法。
【請求項１１】
前記グループに関する描写が前記マルチメディアオブジェクトのグループの監督または一人または複数の俳優または女優を指定する請求項１記載の方法。
【請求項１２】
前記第１描写が階層構造を含み、前記グループへの参照が、その階層構造のコンテンツ描写要素を含むコンテナの階層レベルと同じ階層レベルで表されている請求項１記載の方法。
【請求項１３】
前記コンテンツ描写要素が前記第１マルチメディアオブジェクトのタイトルとジャンルを指定している要素を含む請求項１２記載の方法。
【請求項１４】
前記コンテンツ描写要素が前記第１マルチメディアオブジェクトの監督、俳優または女優を指定している要素を含む請求項１２記載の方法。
【請求項１５】
前記コンテンツ描写要素が前記第１マルチメディアオブジェクトにおけるコンテンツのテキスト描写の要素を含む請求項１２記載の方法。
【請求項１６】
マルチメディアコンテンツの描写を提供する方法において、
第１マルチメディアオブジェクト内のコンテンツを描写している第１描写であって、その第１描写は第１識別情報とマルチメディアオブジェクトのグループへの参照とを含み、前記第１識別情報が前記第１マルチメディアオブジェクトを識別し、前記グループへの参照が前記第１マルチメディアオブジェクトがマルチメディアオブジェクトのグループに属することを示している第１描写を生成するステップと、
その第１描写をユーザ端末へ伝送するステップと
を有することを特徴とする方法。
【請求項１７】
さらに、前記マルチメディアオブジェクトのグループのタイトルと、前記マルチメディアオブジェクトのグループを識別するグループ識別情報とを含む前記マルチメディアオブジェクトのグループに関する描写を生成するステップを含む請求項１６記載の方法。
【請求項１８】
さらに、前記グループに関する描写をユーザ端末に伝送するステップを含む請求項１７記載の方法。
【請求項１９】
前記グループへの参照がグループ識別情報を決定する情報を含む請求項１６記載の方法。
【請求項２０】
前記マルチメディアオブジェクトのグループがドラマのシリーズを表示し、前記グループへの参照が前記第１マルチメディアオブジェクトが前記ドラマのシリーズを表す請求項１６記載の方法。
【請求項２１】
前記グループへの参照が前記第１マルチメディアオブジェクトの放送回数を指定している請求項２０記載の方法。
【請求項２２】
前記第１描写が階層構造を含み、前記グループへの参照が、その階層構造のコンテンツ描写要素を含むコンテナの階層レベルと同じ階層レベルで表されている請求項１６記載の方法。
【請求項２３】
前記コンテンツ描写要素が前記第１マルチメディアオブジェクトのタイトルとジャンルを指定している要素を含む請求項２２記載の方法。
【請求項２４】
前記コンテンツ描写要素が前記第１マルチメディアオブジェクトの監督、俳優または女優を指定している要素を含む請求項２２記載の方法。
【請求項２５】
前記コンテンツ描写要素が前記第１マルチメディアオブジェクトにおけるコンテンツのテキスト描写の要素を含む請求項２２記載の方法。
【請求項２６】
マルチメディアオブジェクト描写を処理するシステムであって、
メモリ部と、
データ処理装置とを含み、前記データ処理装置が、
第１マルチメディアオブジェクト内のコンテンツを描写している第１描写であって、その第１描写は第１識別情報とマルチメディアオブジェクトのグループへの参照とを含み、前記第１識別情報が前記第１マルチメディアオブジェクトを識別し、前記グループへの参照が前記第１マルチメディアオブジェクトがマルチメディアオブジェクトのグループに属することを示している第１描写を受け取り、
前記グループを識別するグループ識別情報を含む前記マルチメディアオブジェクトのグループに関する描写を受け取り、
データ格納のために前記メモリ部を利用する
ように構成されていることを特徴とするシステム。
【請求項２７】
前記グループへの参照が前記グループの識別情報を決定するための情報を含み、前記データ処理装置が、さらに、前記第１マルチメディアオブジェクトをグループに関する描写に関連付けるたのめグループ識別情報を使用するように構成されている請求項２６記載のシステム。
【請求項２８】
前記データ処理装置が、さらに、ユーザの動作をリストにまとめ、前記第１マルチメディアオブジェクトに関する各ユーザの動作を前記第１識別情報に関連付ける使用履歴をメモリ部に格納するように構成されている請求項２６記載のシステム。
【請求項２９】
前記処理する装置が、さらに、前記使用履歴における第１識別情報に関連付けられたユーザの動作と前記グループに関する描写との間の参照を提供するように構成されている請求項２８記載のシステム。
【請求項３０】
前記処理する装置が、さらに、前記第１描写またはグループに関する描写を利用してユーザの嗜好を描写するように構成されている請求項２６記載のシステム。
【請求項３１】
前記マルチメディアオブジェクトのグループがドラマのシリーズを表示し、前記グループへの参照が前記第１マルチメディアオブジェクトが前記ドラマのシリーズを表す請求項２６記載の方法。
【請求項３２】
前記第１描写が階層構造を含み、前記グループへの参照が、その階層構造のコンテンツ描写要素を含むコンテナの階層レベルと同じ階層レベルで表されている請求項２６記載の方法。
【請求項３３】
前記グループに関する描写が、前記第１マルチメディアオブジェクトのグループのタイトル、ジャンル、監督、一人または複数の俳優または女優を指定している請求項２６記載の方法。
【請求項３４】
マルチメディアコンテンツを描写を提供するシステムにおいて、
第１マルチメディアオブジェクトのコンテンツを描写する第１描写を生成するように構成されたデータ処理装置であって、前記第１描写が第１識別情報とマルチメディアオブジェクトのグループへの参照とを含み、前記第１識別情報が前記第１マルチメディアオブジェクトを識別し、前記グループへの参照が前記第１マルチメディアオブジェクトがマルチメディアオブジェクトのグループに属することを示す、前記データ処理装置と、
前記第１描写をユーザ端末へ伝送する送信器と
を有することを特徴とするシステム。
【請求項３５】
前記データ処理装置が、さらに、前記マルチメディアオブジェクトのグループのタイトルと前記マルチメディアオブジェクトのグループを識別するグループ識別情報とを含む、前記マルチメディアオブジェクトのグループに関する描写を生成するように構成された請求項３４記載のシステム。
【請求項３６】
前記データ処理装置が、さらに、前記グループに関する描写をユーザ端末に送るように構成されている請求項３５記載のシステム。
【請求項３７】
前記グループへの参照がグループ識別情報を決定する情報を含む請求項３４記載のシステム。
【請求項３８】
前記マルチメディアオブジェクトのグループがドラマのシリーズを表示し、前記グループへの参照が前記第１マルチメディアオブジェクトが前記ドラマのシリーズであることを示す請求項３４記載の方法。
【請求項３９】
前記第１描写が階層構造を含み、前記グループへの参照が、その階層構造のコンテンツ描写要素を含むコンテナの階層レベルと同じ階層レベルで表されている請求項３４記載の方法。
【請求項４０】
前記第１描写におけるコンテンツ描写要素が、前記第１マルチメディアオブジェクトのタイトル、ジャンル、監督、俳優または女優を指定している請求項２６記載の方法。
【発明の詳細な説明】
【技術分野】
【０００１】
本発明は、ユーザの嗜好度を反映することができマルチメディアデータ描写情報の処理装置及びその方法に係るものである。詳細には、連続して放映されるマルチメディアデータに対するユーザの嗜好度を効果的に反映させるために、マルチメディアデータの描写情報に附加すべきユーザの視聴履歴情報を作成して、その作成された履歴情報を効率的に管理するマルチメディアデータ描写情報の処理装置及びその方法に関するものである。
【背景技術】
【０００２】
最近ディジタル放送のようなマルチメディアに係るサービスが増加するにつれて、マルチメディアに係るサービスの供給者達は、ユーザの嗜好度に対応できるように一層良好なサービスを提供する傾向にある。
【０００３】
例えば、米国特許第５８６１８８４号には、ユーザがどのようなアイテムを好むのかに対する使用履歴情報を作成して、ユーザ毎の使用履歴情報に応じたユーザインターフェースを提供する技術が記載されている。すなわち、履歴情報をツリー形態に作成して、ユーザが度々使用する項目をより高いレベルに配置させて表示することで、ユーザが所望の項目をサーチする経路を短縮できるようにしてユーザへの便宜を図っている。
【０００４】
また、米国特許第５８３５０８８号には、ユーザがマルチメディアを使用する際、マルチメディアボタンの機能をユーザ所望の短縮機能として設定し、より一層ユーザ中心のインターフェースを提供する方法が記載されている。
【０００５】
米国特許第５４１６６９３号には、ユーザの動作嗜好度（例えば、ｒｅｐｌａｙ，  Ｆａｓｔ  ｆｏｒｗａｒｄなど）を履歴情報格納部に記録した後，マルチメディアデータをセグメント化して、そのセグメント毎にユーザの嗜好度を点数に決めて、履歴情報格納部に記録する方法が記載されている。これは、米国特許第５８６１８８４号や第５８３５０８８号より優れた表示方法である。ここにおいては、Ｒｅｐｌａｙが頻繁な部分はより重要なセグメントと定義し、マルチメディアサーチ機能の動作時に、Ｒｅｐｌａｙが頻繁な部分の速度を本来の表示速度より低減させてある。
【０００６】
又、ＷＩＰＯ第９７４７１３５号には、ユーザが嗜好するチャンネル及び各チャンネルにおいて、ユーザ嗜好のデバイス情報（例えば、音の大きさ）を履歴情報格納部に格納した後、その格納された情報に基づいてユーザに適切な環境を提供する方法が記載されてある。
【０００７】
又、米国特許第５７５８２５９号には、ユーザにプログラムガイドが提供される際に、多量のプログラムガイドをそのまま伝送するのではなく、ユーザの視聴情報を記憶して、各ユーザ毎の嗜好プログラムジャンルを中心にプログラムガイドを提供する方法が記載されている。
【０００８】
又、米国特許第５７３４４４号には、ユーザのマルチメディア視聴履歴情報を利用して、ユーザ嗜好のプログラムを自動に選択して録画する方法が記載されている。
【０００９】
前記のようなユーザ中心のサービスは、ユーザの履歴情報を作成してユーザの嗜好度をサーチした後、嗜好度を反映するマルチメディア検索及び表示方法であって、既に米国Ｔｉｖｏ／ＲｅｐｌａｙＴＶなどで商用サービスとして広く用いられている。
【００１０】
すなわち、ユーザの最新嗜好度を反映する従来の方法は、ユーザの履歴情報が特定の条件のユーザ嗜好度情報を提供する分野で用いられている。
【００１１】
最近、ユーザ中心のサービスを提供するために、サーバー及びデバイスの外に、スマートカードという概念を導入した。米国特許第５８１４７９８号には、スマートカードにユーザの嗜好度情報を記録して、ユーザへユーザ中心のサービスを提供する方法が記載されている。
【００１２】
このような従来技術の各サービス方法は、主にＶＯＤ（Video on Demand)又は、Ｐａｙ  ｐｅｒ  Ｖｉｅｗのようなビデオサービスで使用されている。最近はディジタル放送が本格化されてサービスの最も大きい分野が放送分野であるため、ユーザが嗜好する放送プログラムを自動的に格納したり、ユーザ嗜好のプログラム時間帯を中心にプログラムガイドを作成するというような多様なサービスが行われている。
【００１３】
併し、放送分野の放送データは、プログラムのほとんどが同じプログラムであったり、内容のみが異なる各プログラムを繰り返して放送する連続性を有するため、一般のビデオサービスとは異なっている。例えば、連続劇（以下、ドラマと称す）のように同じ俳優及び監督の共通特性を有するプログラムを内容のみを変えて毎回放送したり、ニュースプログラムのように、同じアンカー及び題目（以下、タイトルと称す）のような共通特性のプログラムを内容のみを変えて毎回放送するという状態である。
【発明の開示】
【発明が解決しようとする課題】
【００１４】
然るに、このような従来マルチメディアデータ描写情報の処理装置及びその方法においては、ユーザが視聴したプログラムの特定情報を毎回使用履歴情報として記録するので、特定情報の処理過程が漸次増加し、効率的に放送プログラム情報を利用することができなくなり、情報の格納空間及び処理時間が浪費されるという不都合な点があった。
【００１５】
本発明は、このような従来の課題に鑑みてなされたもので、連続して放映するマルチメディアデータをユーザの履歴情報を利用して効果的に管理することで、メモリ装置を効率的に利用して、ユーザ嗜好度の反映度を向上させたマルチメディアサービスを提供することを目的とする。
【００１６】
さらに、特徴情報の内容をいちいち検索することなく、一度検索が一致すると、共通情報及び適用グループ情報などを使用して共通に適用可能な全てのデータを同じ結果として表示することによって、連続して放映する複数のマルチメディアデータを容易にグループ化することを目的とする。
【課題を解決するための手段】
【００１７】
本発明は、連続物の特性を有するマルチメディアデータの描写情報を処理する方法であって、 １つの連続物全体に共通的に適用される共通特徴情報と各一篇のデータごとに固有に適用される固有特徴情報とを含み、同じ共通特徴情報を有する同じ連続物であることを識別するための第１識別情報と各篇ごとにデータを固有に識別するための第２識別情報とを含む連続物描写情報を生成することを特徴とする。
【００１８】
また、 別の態様では、連続物の特性を有するマルチメディアデータの描写情報を処理する方法であって、 １つの連続物全体に共通的に適用される共通特徴情報と各一篇のデータごとに固有に適用される固有特徴情報とを含み、同じ共通特徴情報を有する同じ連続物であることを識別するための第１識別情報と各篇ごとにデータを固有に識別するための第２識別情報とを含む連続物描写情報を受信することを特徴とする。
【００１９】
さらに他の態様は、連続物の特性を有するマルチメディアデータの描写情報を処理するシステムであって、 １つの連続物全体に共通的に適用される共通特徴情報と各一篇のデータごとに固有に適用される固有特徴情報とを含み、同じ共通特徴情報を有する同じ連続物であることを識別するための第１識別情報と各篇ごとにデータを固有に識別するための第２識別情報とを含む連続物描写情報を受信するデータ処理装置と、 前記受信された連続物描写情報を保存するためにメモリを利用することを特徴とする。
【発明を実施するための最良の形態】
【００２０】
以下、本発明の実施の形態に対し、図面を用いて説明する。
本発明に係るユーザの嗜好度を反映するマルチメディアデータの処理装置は、図１に示したように、マルチメディアデータをユーザに提供するサーバー１００と、サーバー１００に含まれていてユーザの嗜好度を反映するマルチメディアデータ情報を抽出するようにマルチメディアデータに描写情報を附加する描写情報記述部１１０と、マルチメディアデータを受信してユーザにディスプレーするディスプレー部２２０を有する端末機２００と、その端末機２００に含まれて嗜好度情報をサーバー１００に伝送するＩ／Ｏインターフェース部２１０と、描写情報記述部１１０で附加された描写情報を分析するデータ分析部２３０と、その比較された結果に基づいて描写情報を格納するメモリ部２４０とを備えている。
【００２１】
図２は本発明に係るマルチメディアデータに附加される描写情報の例である。描写情報記述部１１０は、放送プログラムのマルチメディアデータの監督、主演俳優、タイトル、ジャンルのように共通情報として構成される共通特徴情報３００と、マルチメディアデータの放送回数、放映時間、小主題、すじのようにマルチメディアデータのみに該当する固有情報として構成される固有特徴情報４００と、マルチメディアデータと同じ共通特徴情報３００を有するプログラムであるか否かを区別するプログラム識別情報５００と、全ての各マルチメディアデータを区別する固有識別情報６００とを備えている。
【００２２】
図３は本発明に係るリストアイテムによって作成されたユーザの使用履歴情報のリストの例である。図に示したように、プログラム識別情報５００と共通特徴情報３００を備えたリストを共通リストとして構成する一方、使用時間、プログラム識別情報５００、固有識別情報６００及び固有特徴情報４００を備えたリストを固有リストとして構成する。共通リストを固有リストにリンクさせてある。
【００２３】
以下、このように構成された本発明に係るマルチメディアデータ描写情報の処理装置の動作及びその方法に対し、図１乃至図３を用いて説明する。
【００２４】
連続性のマルチメディアデータとして１〜８回のドラマに構成されたマルチメディアデータであると仮定する。サーバー１００の描写情報記述部１１０では、ユーザ履歴情報を効果的に処理するために各共通特徴情報３００を、監督、主演俳優、タイトル、ジャンルに夫々区分し、各固有特徴情報４００を放送回数、放映時間、小主題、すじなどに区分する。さらに、連続性のマルチメディアデータのプログラム識別情報５００と、他のマルチメディアデータと区別するために固有識別情報６００を決める。次いで、ユーザが「ドラマ一篇」を選択して視聴すると、描写情報記述部１１０は、共通特徴情報３００、固有特徴情報４００、プログラム識別情報５００及び固有識別情報６００を連続性のマルチメディアデータ（「ドラマ一篇」）に附加して各端末機２００に伝送し、ユーザはＩ／Ｏインターフェース部２１０を通って伝送された「ドラマ一篇」を表示部２２０を通して視聴する。
【００２５】
このとき、データ分析部２３０は、データ「ドラマ一篇」に附加された固有特徴情報４００、共通特徴情報３００、プログラム識別情報５００及び固有識別情報６００とを夫々区分して、メモリ部２４０に、図３のようなリストのアイテムとして格納させる。
【００２６】
すなわち、プログラム識別情報Ｐ＿ＩＤにはプログラム識別情報５００が格納されて、共通特徴情報３００欄には監督、主演俳優、タイトル及びジャンルのような内容が共通特徴情報のアイテムとして格納され、固有特徴情報４００欄には放送回数、放映時間、小主題及びすじのような内容が固有特徴情報のアイテムとして格納され、固有識別情報Ｕ＿ＩＤには固有識別情報６００が格納され、使用時間欄にはプログラムを視聴した時間が格納される。その後、ユーザがマルチメディアデータの「ドラマ２篇」を選択して視聴すると、描写情報記述部１１０では、共通特徴情報３００、固有特徴情報４００、プログラム識別情報５００及び固有識別情報６００を連続性のマルチメディアデータ「ドラマ２篇」に附加して伝送し、ユーザはＩ／Ｏインターフェース部２１０を通って伝送された「ドラマ２篇」を表示部２２０を通して視聴する。
【００２７】
このとき、「ドラマ２篇」のプログラム識別情報５００はメモリ部２４０に格納されたプログラム識別情報５００と比較される。「ドラマ２篇」のプログラム識別情報５００は、メモリ部２４０に既にあるため（「ドラマ一篇」のプログラム識別情報５００と同じであるため）、固有リストをメモリ部２４０に格納した後、共通リストにリンクさせる。
【００２８】
且つ、ユーザが「他のドラマ一篇」を視聴すると、その「他のドラマ一篇」のプログラム識別情報５００はメモリ部２４０に格納されたプログラム識別情報５００と比較されるが、「他のドラマ一篇」のプログラム識別情報５００はメモリ部２４０に格納してないため、「他のドラマ一篇」の共通リストはメモリ部２４０に格納されて、その後、「他のドラマ一篇」の固有リストがメモリ部２４０に格納されると、固有リストを共通リストにリンクさせる。
【００２９】
又、ユーザが「ドラマ３篇」を視聴すると、その「ドラマ３篇」のプログラム識別情報５００は、メモリ部２４０に格納されたプログラム識別情報５００と比較され、このとき「ドラマ３篇」のプログラム識別情報５００が既にメモリ部２４０に格納されているため、メモリ部２４０に「ドラマ３篇」の固有リストを格納した後、その固有リストを「ドラマ一篇」の共通リストにリンクさせる。
【００３０】
前記のような実施形態に基づいて、写情報記述部１１０はマルチメディアデータに附加した描写情報を次のように決めて、端末機２００に伝送する。
【００３１】
図４は、本発明に係るマルチメディアデータに附加される描写情報を説明したブロック図である。図４に示したように、描写情報記述部１１０は、マルチメディアデータを、タイトル描写形態７１０、俳優描写形態７２０、監督描写形態７３０、放送回数描写形態７４０及びジャンル描写形態７５０と区分する。さらに、連続性のマルチメディアデータが同じプログラムであるか否かを区別するプログラム識別情報５００と、他のマルチメディアデータと区別される固有識別情報をも分ける。タイトル描写形態７１０はタイトルとタイプ情報３５０とに細分化する。同様に、俳優描写形態７２０、監督描写形態７３０、放送回数描写形態７４０及びジャンル描写形態７５０それぞれを監督と、俳優と、放送回数及びジャンルと各タイプ形態とに細分化して構成することもできる。
このとき、タイプ情報３５０は、マルチメディアデータの描写情報の技術形態が監督、俳優、放送回数及びジャンルのような各特徴情報中の共通特徴情報３００であるか又は固有特徴情報４００であるかを区別する。
【００３２】
従って、このように区分された各特徴情報は、メモリ部２４０に格納される際、同じプログラム同士が相互重複しないようになる。
【００３３】
すなわち、ユーザがプログラムを視聴すると、データ分析部２３０ではプログラム識別情報５００と既に格納されたプログラム識別情報５００とを比較して、プログラム識別情報５００がメモリ部２４０に格納されてあると、固有リスト及び共通リストのみをメモリ部２４０に格納する一方、プログラム識別情報５００がメモリ部２４０に格納されていないとき、固有リスト及び共通リストをメモリ部２４０に格納させて、共通特徴情報３００が重複して格納されることを防止する。
【００３４】
又、本発明に係るマルチメディアデータに附加される描写情報の他の実施形態を図５に示す。描写情報記述部１１０が他のマルチメディアデータと区分される固有識別情報６００と、連続物中の一つであることを示すためのプログラム識別情報５００と、連続物の中で何回目の篇であるかを区別する回数分情報と、タイトル描写形態７１０と、俳優描写形態７２０と、監督描写形態７３０と、放送回数描写形態７４０と、ジャンル描写形態７５０とに区別する。タイトル描写形態７１０、俳優描写形態７２０、監督描写形態７３０、放送回数描写形態７４０、ジャンル描写形態７５０それぞれをタイトル、監督、俳優、放送回数、ジャンル及び各適用グループ情報９００と細分化して、且つ、それらの適用グループ情報９００を夫々最初の回数分と最後の回数分とにさらに細分化して構成することもできる。
【００３５】
この場合、回数分情報は、マルチメディアデータが何番目の回数分であるかを表示する。適用グループ情報９００は一つのマルチメディアデータに対してどれだけの特徴情報が適用されるのか、連続物中どの回数分からどの回数分までに適用されるかを表示する。すなわち、適用グループ情報９００は、最初の回数分と最後の回数分とが記述され、例えば、監督描写形態７３０の最初の回数分が「１」で最後の回数分が「８」である場合、１回から８回まで同じ監督であることを意味する。このとき、最後の回数分９２０は通常現在放送中の回数分が記述され、放映される回数分が決定されている場合、最後の回数分９２０が記載される。
【００３６】
すなわち、「ドラマ３篇」の例をあげて説明すると、ユーザが「ドラマ３篇」を視聴すると、描写情報記述部１１０では固有識別情報６００と、プログラム識別情報５００と、回数分情報の「３」と、監督描写形態７３０の監督と、最初の回数分９１０の「１」と、最後の回数分９２０の「３」とが附加されたマルチメディアデータが伝送される。このとき、最後の回数分９２０情報は予め決めることができるため、８回が最後の回数分であると仮定すると、最後の回分９２０情報に「８」を附加して伝送することができる。
【００３７】
このようなマルチメディアデータの描写情報は、各特徴情報毎にその特徴情報を包含するデータのみに適用可能な描写情報であるか、又はマルチメディアデータの連続物の他の回数分にも共通に適用し得る情報であるかを表す適用グループ情報９００を包含してある。
【００３８】
又、本発明に係るマルチメディアデータに附加される描写情報のさらに他の例を図６に示す。図に示したように、マルチメディアデータが連続物でない場合、描写情報記述部１１０は、各データを固有に区分する固有識別情報６００と、タイトル描写形態７１０と、俳優描写形態７２０と、監督描写形態７３０と、放送回数描写形態７４０とに夫々区分して、タイトル描写形態７１０、俳優描写形態７２０、監督描写形態７３０及び放送回数描写形態７４０を監督、俳優、放送回数、ジャンル及び各適用グループ情報９００と細分化される。それら適用グループ情報９００は一つ以上の適用識別情報９３０を持っている。
【００３９】
すなわち、各適用グループ情報９００は、マルチメディアデータに共通に適用される各特徴情報が区分された適用識別情報９３０を備え、マルチメディアデータに適用される各特徴情報が自分の情報を包含するマルチメディアデータのみに適用可能であるか、又は他のマルチメディアデータの各回数分にも共通に適用可能であるかを区別する。
【００４０】
又、このような描写形態は、連続物でないマルチメディアデータに共通に適用される描写情報が多いときに有用である。適用グループ情報９００は複数の適用識別情報９３０に区分することもできる。各共通特徴情報３００が適用される回数分に対する情報はマルチメディアデータの適用識別情報９３０によって表示される。
【００４１】
以下、描写情報記述部１１０が附加されたマルチメディアデータをメモリ部２４０に格納して、ユーザ履歴情報を管理する方法について説明する。
【００４２】
本発明に係るリストアイテムによって作成されたユーザマルチメディアデータの使用履歴情報の他の実施形態は、図７に示したように、共通特徴情報３００が格納されたメモリ装置の共通リストに固有リストがリンクされ、その固有リストの各アイテムにはアイテム毎に各固有特徴情報４００のみが記載される。共通特徴情報３００はユーザ履歴情報リストでなく、他のメモリ装置に格納して管理する。すなわち、固有リストの各アイテムには当該のアイテムの固有特徴情報４００のみを記載して、共通特徴情報３００のみを管理するメモリ装置（図示されず）に格納した後、固有リストの各アイテムにはこれらを連結する連結情報のみを包含する方法である。且つ、別途のメモリ装置としては、スマートカードなどが使用される。
【００４３】
又、本発明に係るリストアイテムによって作成されたユーザマルチメディアデータの使用履歴情報のさらに他の実施形態は、図８に示したように、ユーザのマルチメディアデータの使用履歴情報が、各マルチメディアデータ毎のプログラム識別情報５００と、共通特徴情報と、固有識別情報６００と、使用時間と、固有特徴情報と、を包含した一つの固有リストとして構成されている。
【００４４】
すなわち、固有リストはリンク情報を有することなく、プログラム識別情報５００のみを利用してユーザ履歴情報を処理し、各マルチメディアデータ毎にプログラム識別情報５００を有して、共通特徴情報３００も同じプログラム識別情報５００を有するため、各リストがリンク情報を有することがなく、プログラム識別情報５００をマッピング又はアドレスを参照して固有リストと共通リストに連結することができる。連続性のマルチメディアデータの共通特徴情報３００をこのようなプログラム識別情報５００を利用して連結する方法は、データが多くない場合に適用される。
【００４５】
又、本発明に係るリストアイテムによって作成されたユーザマルチメディアデータの使用履歴情報のさらに他の実施形態は、図９に示したように、使用時間、プログラム識別情報５００、固有識別情報６００及び固有特徴情報４００に構成された一つのリストを共通リストとして、別のメモリ装置（図示されず）に格納する。
【００４６】
固有リストには該当のアイテムの固有特徴情報４００のみを記載して、共通特徴情報３００は別のメモリ装置（図示されず）に格納した後、固有リストの各アイテムにはこれらを連結する連結情報のみを包含させる方法である。このとき、別のメモリ装置としては、スマートカードなどが使用され、上記のようなプログラム識別情報５００を利用して連続性のマルチメディアデータの共通特徴情報３００を連結する方法は、データが多くない場合に適用される。
【００４７】
以上説明したように、本発明に係るマルチメディアデータ描写情報の処理装置及びその方法においては、連続性のマルチメディアデータをユーザの使用履歴情報を利用して効果的に管理することができ、制限的なメモリ装置を効率的に利用して、ユーザ嗜好度の反映を向上させたマルチメディアサービスを提供できるという効果がある。また、ほとんどの放送データが連続物として構成されるため、ユーザの嗜好度の反映を容易に行い得るとい効果がある。
又、本発明に係るマルチメディアデータ描写情報の処理装置及びその方法においては、情報の特徴内容を検索することなく、一度検索が一致すると、共通情報、又は適用グループ情報を利用して共通に適用可能な全てのデータを同じ結果として表示することができるため、連続物に属する複数のマルチメディアデータを容易にグループ化し得るという効果がある。
【図面の簡単な説明】
【００４８】
【図１】本発明に係るユーザの嗜好度を反映したマルチメディアデータの処理装置を示したブロック図である。
【図２】本発明に係るマルチメディアデータに附加される描写情報の第１実施形態を示したブロック図である。
【図３】本発明に係るリストアイテムによって作成されたユーザの使用履歴情報の第１実施形態を示したブラック図である。
【図４】本発明に係るマルチメディアデータに附加される描写情報の第２実施形態を示したブロック図である。
【図５】本発明に係るマルチメディアデータに附加される描写情報の第３実施形態を示したブロック図である。
【図６】本発明に係るマルチメディアデータに附加される描写情報の第４実施形態を示したブロック図である。
【図７】本発明に係るリストアイテムによって作成されたユーザの使用履歴情報の第２実施形態を示したブラック図である。
【図８】本発明に係るリストアイテムによって作成されたユーザの使用履歴情報の第３実施形態を示したブラック図である。
【図９】本発明に係るリストアイテムによって作成されたユーザの使用履歴情報の第４実施形態を示したブラック図である。
【符号の説明】
【００４９】
１００：サーバー、１１０：描写情報記述部、２００：端末機、２１０：Ｉ／Ｏインターフェース部、２２０：表示部、２３０：データ分析部、２４０：メモリ部、３００：共通特徴情報、４００：固有特徴情報、５００：プログラム識別情報、６００：固有識別情報、７１０：タイトル描写形態、７３０：監督描写形態、７５０：ジャンル描写形態、３５０：タイプ、７２０：俳優描写形態、７４０：放送回数描写形態、８００：回数分情報、９００：適用グループ情報、９１０：最初の回数分、９２０：最後の回数分、９３０：適用識別情報
【図１】
2006187012.tif 000003
【図２】
2006187012.tif 000004
【図３】
2006187012.tif 000005
【図４】
2006187012.tif 000006
【図５】
2006187012.tif 000007
【図６】
2006187012.tif 000008
【図７】
2006187012.tif 000009
【図８】
2006187012.tif 000010
【図９】
2006187012.tif 000011